(57)【要約】    【課題】  螺子止め作業なしで簡単にユニットの挿脱が可能であり、意匠性に優れた電子機器を提供する。    【解決手段】  ユニットを収納する筐体のユニット載置面６ａに係合孔１５を形成し、前記ユニットの底面には該ユニットの挿脱によって前記係合孔と係合離脱可能な固定金具１６を設け、該固定金具は前記ユニットの底面に固着される固着部１７と該固着部から挿入方向に向って延出する係合部１８とを具備し、前記ユニットの挿入により前記係合部は前記係合孔を通って前記ユニット載置面の裏面に当接し、前記固着部は前記係合孔に自重で嵌合する様に構成した。    【選択図】          図２
2005347385.tif 000002
【特許請求の範囲】
【請求項１】
ユニットを収納する筐体のユニット載置面に係合孔を形成し、前記ユニットの底面には該ユニットの挿脱によって前記係合孔と係合離脱可能な固定金具を設け、該固定金具は前記ユニットの底面に固着される固着部と該固着部から挿入方向に向って延出する係合部とを具備し、前記ユニットの挿入により前記係合部は前記係合孔を通って前記ユニット載置面の裏面に当接し、前記固着部は前記係合孔に自重で嵌合する様に構成したことを特徴とする電子機器。
【発明の詳細な説明】
【技術分野】
【０００１】
本発明は、電子機器、特に床設置型の電子機器等大型電子機器の筐体構造に関するものである。
【背景技術】
【０００２】
床設置型の電子機器等大型の電子機器では、機能毎にユニット化され、筐体等に実装される様になっており、又調整作業、保守作業が可能な様にユニットはラックに対して着脱可能となっている。
【０００３】
図３は従来の電子機器を示しており、図中、１は筐体、２は該筐体に実装されるユニットを示している。
【０００４】
前記筐体１は、ラック３、該ラック３に取付けられる側板４、天板５等から構成され、前記ユニット２を所要段収納可能である。前記筐体１の前面は開放されている。前記ラック３は側面に水平方向に設けられ、前記ユニット２を支持するガイド６を所要段有し、前記ラック３の前面の両側柱７には前記ユニット２が取付けられる螺子孔８が設けられている。
【０００５】
前記ユニット２は配線基板等の電子部品を収納するケース９、該ケース９の前面に設けられた前面パネル１１等から構成され、該前面パネル１１には前記ユニット２を挿脱する為の取手１２が取付けられている。
【０００６】
前記ユニット２を前記筐体１に実装する場合は、前記ガイド６に沿って挿入し、前記前面パネル１１を前記側柱７に螺子１３によって固定していた。
【０００７】
上記した従来の電子機器では、前記ユニット２の固定を螺子止めで行っているので、作業性が悪く、又正面に前記螺子１３が露出するので意匠性を損うという問題があった。
【発明の開示】
【発明が解決しようとする課題】
【０００８】
本発明は斯かる実情に鑑み、螺子止め作業なしで簡単にユニットの挿脱が可能であり、意匠性に優れた電子機器を提供するものである。
【課題を解決するための手段】
【０００９】
本発明は、ユニットを収納する筐体のユニット載置面に係合孔を形成し、前記ユニットの底面には該ユニットの挿脱によって前記係合孔と係合離脱可能な固定金具を設け、該固定金具は前記ユニットの底面に固着される固着部と該固着部から挿入方向に向って延出する係合部とを具備し、前記ユニットの挿入により前記係合部は前記係合孔を通って前記ユニット載置面の裏面に当接し、前記固着部は前記係合孔に自重で嵌合する様に構成した電子機器に係るものである。
【発明の効果】
【００１０】
本発明によれば、ユニットを収納する筐体のユニット載置面に係合孔を形成し、前記ユニットの底面には該ユニットの挿脱によって前記係合孔と係合離脱可能な固定金具を設け、該固定金具は前記ユニットの底面に固着される固着部と該固着部から挿入方向に向って延出する係合部とを具備し、前記ユニットの挿入により前記係合部は前記係合孔を通って前記ユニット載置面の裏面に当接し、前記固着部は前記係合孔に自重で嵌合する様に構成したので、ユニットの実装、取外しに螺子の着脱作業がなく、作業性が向上すると共にユニットの固定に螺子を使用しないので、意匠性が向上する。
【発明を実施するための最良の形態】
【００１１】
以下、図面を参照しつつ本発明を実施する為の最良の形態を説明する。
【００１２】
尚、図１中、図３中で示したものと同等のものには同符号を付してある。
【００１３】
本実施の形態に於ける筐体１の基本的な構造は、図３で示したものと同等であるので説明を省略する。
【００１４】
各ガイド６のユニット載置面６ａには、挿脱方向に長い矩形形状の係合孔１５が前後２箇所に穿設されている。
【００１５】
前記ユニット２の底面で、前記ユニット載置面６ａに摺接する部分に固定金具１６を固着する。該固定金具１６は、前記ユニット２が前記ラック３に完全に挿入された状態で、前記係合孔１５に係合する様に位置決めされている。
【００１６】
前記係合孔１５と前記固定金具１６との関係を図２を参照して説明する。
【００１７】
前記固定金具１６は鋼板、ステンレススチール等の帯板の弾性材料により製作され、前記係合孔１５より幅が狭く、ケース９に固着される固着部１７と該固着部１７に片持支持され挿入方向に向って（筐体の後面に向って）延出する係合部１８から構成される。前記固着部１７の前面側端には折上げ部１７ａが形成される。前記係合部１８は前記固定金具１６から先端に向ってジグザグ状に３箇所折曲げられ、２箇所の折返し曲り部１８ａ，１８ｂが形成される。前記固着部１７から前記折返し曲り部１８ａに至る斜面は、解除案内面１９を形成し、前記折返し曲り部１８ｂから係合部１８の先端に至る斜面は係合案内面２０を形成する。
【００１８】
尚、前記係合部１８は自由状態で、前記折返し曲り部１８ｂが前記ケース９の底面に密着している。
【００１９】
図２（Ａ）、図２（Ｂ）、図２（Ｃ）により前記ユニット２を実装する場合について説明する。
【００２０】
該ユニット２を前記ガイド６に載置し、押込むと前記固定金具１６が前記係合孔１５に到達する（図２（Ａ））。更に押込み、前記折返し曲り部１８ａが前記係合孔１５の前面側のエッジを越えると、前記解除案内面１９が前記係合孔１５の前面側のエッジに対して下方に摺動し、又同時に前記固定金具１６の先端が前記係合孔１５に嵌入していく。前記折返し曲り部１８ａが略完全に前記係合孔１５内に嵌入すると、前記係合案内面２０が前記係合孔１５の後面側のエッジに当接する（図２（Ｂ））。
【００２１】
更に前記ユニット２を押込むと、前記係合案内面２０が前記係合孔１５の後面側エッジに摺動して下方に押下げられ、前記折返し曲り部１８ｂが前記ユニット載置面６ａの下面に乗上げる。前記係合孔１５の後面側エッジが前記係合部１８の基端に当接すると、前記ユニット２の後ろ方向の動きが規制されると共に前記係合部１８の基端と前記ケース９底面間の楔効果で上下方向の動きも規制される。前記固着部１７が前記係合孔１５に自重で完全に嵌合すると、前記折上げ部１７ａが前記係合孔１５の前面側エッジに当接し、前記ユニット２の前方向の動きが規制される（図２（Ｃ））。
【００２２】
図２（Ｃ）は、該ユニット２の実装が完了した状態を示しており、実装状態では前記固着部１７が前記係合孔１５に嵌合し、上下方向、前後方向の動きを規制する。又、前記ユニット２の自重により、該ユニット２の底面は前記ユニット載置面６ａに押圧された状態であるので、前記固着部１７の前記係合孔１５への嵌合状態は安定している。
【００２３】
前記ユニット２を引出す場合は、取手１２を持って前記ユニット２を若干持上げる。該ユニット２を持上げることで、前記折上げ部１７ａが前記係合孔１５から外れ、前記ユニット２を前方に引出すことで、前記固着部１７が前記ユニット載置面６ａに乗上げる。
【００２４】
前記折返し曲り部１８ｂが前記ユニット載置面６ａの裏面から外れ、前記解除案内面１９が前記係合孔１５の前面側エッジに当接する。更に引出すことで前記解除案内面１９が前記係合孔１５の前面側エッジを乗上がり前記折返し曲り部１８ａが前記ユニット載置面６ａに乗上がり、前記固定金具１６と前記係合孔１５との係合が解除される。
【００２５】
而して、前記ユニット２の実装、取外しを螺子止め作業なしで行え、該ユニット２の固定を螺子で行わないので、螺子が露出せず意匠性が向上する。
【００２６】
尚、前記ユニット２の実装時の該ユニット２の前後方向の規制は、片側一箇所でよいので、例えば前側の固着部１７には折上げ部１７ａを形成し、後側の折上げ部１７ａは省略してもよい。又、後側の固着部１７を前側の固着部１７に対して寸法を長くし、実装状態でも前記ユニット載置面６ａに乗上げた状態を維持する様にしてもよい。後側の折上げ部１７ａを省略し、或は固着部１７の寸法を長くすることで、前記ユニット２を持上げたときに前記固着部１７が係合孔１５から外れ易くなり、取外し時の作業性が向上する。
【図面の簡単な説明】
【００２７】
【図１】本発明の実施の形態を示す斜視図である。
【図２】（Ａ）（Ｂ）（Ｃ）は本発明の作用を示す説明図である。
【図３】従来例を示す斜視図である。
【符号の説明】
【００２８】
１              筐体
２              ユニット
３              ラック
６              ガイド
６ａ            ユニット載置面
１５            係合孔
１６            固定金具
１７            固着部
１７ａ          折上げ部
１８            係合部
１８ａ          折返し曲り部
１８ｂ          折返し曲り部
【図１】
2005347385.tif 000003
【図２】
2005347385.tif 000004
【図３】
2005347385.tif 000005